(57)【要約】【課題】ジヨギングの活性化を図ろうとするにはスポーツスタイリッシュと素材の色合い「美」と「彩」が望まれている。【解決手段】リュック型ジョギングスタイルを作る為の運動用具。【選択図】　　図３
2004113716.tif 000002
【特許請求の範囲】
【請求項１】
ジョギング用砂バック（１）にはミニＡタイプとミニＢタイプが有り用途は同じであるが製作方法と部分的形式の違いからＩＩタイプに成ったものでどちらもミニ形式リュック型で背負うタイプの運動具であるデザインの強調とジョギング活動のし易い用具の想定から２種類生まれたもので、ＡＢタイプそれぞれの特長を生かした用具である
【請求項２】
ＡＢタイプの形式は違っても共通する部分や共用する物もある、共通する部分では例えばバック（１）の素材生地、タオル地、ベルト類、バンド類、フォック等やその他部分的な類似結合ヶ所である、叉共用物としては砂入りの備品で小袋（３９）の中に砂入れしたものを更にパックケース（４１）に入れ込んだ状態を重量備品と言う、重量の想定は４種類（４１）Ａ，Ｂ，Ｃ，Ｄに区分している物でＡＢタイプ兼用である。
【請求項３】
バック（１）本体の軽量素材生地とは例えば布地合成生地や綿合成生地叉は合成素材生地等が上げられるが手ざわりや肌ざわりと言った着用時の感触が良好であり叉製造する面に於いても生地の柔らかさが加工をし易くしている事が言える。
【請求項４】
共通しない部分ではＡ、Ｂタイプのデザインと重さと全体の寸法であるＡタイプは身体の曲線に合せたスリムな形にしたもので備品収納ポケットは２個付き（９，１１）である出し入れはチャック（１０，１２）から行う上部の砂パックポケットａ（９）は主にパックケース（４１）と言う砂入り備品を収納する所になる叉下部の砂パックポケットｂ（１１）は予備ポケットにしており個人の体力に依って重量の追加が出来る事や叉は個人的にジョギングの必要品入れ例えば「水筒、タオル、メガネ類など」小物入れとされるポケットであるその後バックカバー（１３）を本体（１）側にかぶせてプラストａ（１５）プラストｂ（１６）で留める。
【請求項５】
Ｂタイプのデザインは子供のゴリラをイメイジして製作するもので、ふっくら型で備品収納ポケット（１）その物である砂パック（４１）の出し入れは投入口（３５）から行うその後開閉ヒモ（３７）ヒモ太鼓（３８）に依って閉めバックカバー（１３）を本体（１）側にかぶせてプラストａ（１５）プラストｂ（１６）で留める。
【請求項６】
砂バック（１）本体のサイズはＡタイプイメージ例えば「上部の巾２７０ｍｍ位　中間巾１８０ｍｍ位　下部の巾３５０ｍｍ位　上〜下部の長さ３７０ｍｍ位とし重さは３５０ｇ位に成る仕上がりが望ましくタオルシート（２６）単品（６０ｇ）も含まれている」叉　Ｂタイプのサイズイメージは例えば「上部の巾１５０ｍｍ位　下部の巾３００ｍｍ位　上〜下部の長さ２８０ｍｍ位とし重さは３００ｇ位に成る仕上がりが望ましくタオルシート（２６）単品（４５ｇ）も含まれている」。
【請求項７】
背負いベルト（２）はプラスチッククリック（３）と締付けベルト（４）の連結形に成っており背負った時に三角ベロ（５）の自在に依って身体へ必着させる事とクリック（３）の元でベルト（４）を引き下げる事に依って調整が出来るベルト（４）の残りの部分についてはベルプラ（２７）に差込む、これはＡＢタイプ同じである。
【請求項８】
胴体ベルト（６）はＡタイプが固定式でバック（１）裏側下左右（２４）に縫込み形で仕上げているがバック（１）本体のデザインを考案中に生まれたもので例えば抜き取り式叉は固定式でもここに拘りは無いがジョギング用と成ると「バックのふらつき」を少なくする為に胴体ベルトは必要であるベルトの開閉はバックルａ（７）ｂ（８）長さ調整は（７）とベルト受け（２３）サイドで行う、Ｂタイプは抜き取り式の方法でありバック（１）裏側下部をベルト通し（３４）縫付け仕上げで有る調整などはＡタイプと同じである。
【請求項９】
Ａタイプの特長である背当て側の表地と裏地の中間に発泡シート材（２５）を入れた製作方法で例えば「厚さ１．０ｍｍ位のものを２枚合せにして外観形状に合せ切り組入れてからミシン縫い片寄り防止策も含めて行ったもの」これが背負った時の重量感触と背中当りの度合いにクッション性があって良いのではないかと気付いたので取入れて試作を行った更にタオルシート（２６）をバック（１）裏側背中面に当てる事でダブルクッションと成って受け止める感じが大分違う事叉Ｂタイプでは発泡シート材（２５）を除いた試作であるがタオルシート（２６）使用に依って感触にそれぞれ違いが有る。
【請求項１０】
タオルシート（２６）の形状はそれぞれ砂バック（１）本体に合せたサイズに成っているがＡタイプの場合はフォック（２９）５ヶ所止め　Ｂタイプは４ヶ所止めであるがタオル地は目が荒いので生地あてを行い地盤（３０）を作る事が大切また糸のほぐれを無くす為にタオルシート周囲（２１）を空縫いする事も大切でＡタイプには縫い代部（３１，３２）も入れて更にシート（２６）中央部は×印形に型崩れ防止（３３）を行ったものである。
【請求項１１】
パックケース（４１）共用備品の製作手順はビニール袋（３９）の中に砂（４０）を入れて下記内容グラム毎に量を計り決めしていく方法である、砂入れの後は入口をパック状に密閉するその砂小袋（３９）を開閉チャック（４２）から入れ込んでパックケース（４１）Ａ、Ｂ、Ｃ、Ｄと重量設定するグラム量に依ってケース（４１）のサイズは違う例えばケース（４１）Ａに砂５００ｇではパックサイズの長さ１７０ｍｍ高さ８０ｍｍ巾６０ｍｍ　ケースＢに砂１０００ｋｇでは長さ１９０ｍｍ高さ９０ｍｍ巾６０ｍｍ　ケースＣに砂１５００ｋｇでは長さ１９０ｍｍ高さ１００ｍｍ巾８０ｍｍ　ケースＤに砂２０００ｋｇでは長さ１９０ｍｍ高さ１１０ｍｍ巾９０ｍｍこの様な範囲であると想定される、バック（１）に入れて使用する場合の重量調整は自由に組合せる事が出来る。
【発明の詳細な説明】
【０００１】
【発明の属する技術分野】本発明は、ジョギング用砂バック（１）にはミニＡタイプとミニＢタイプが有り用途は同じであるが製作方法と部分的形式の違いからＩＩタイプに成ったものでどちらもミニ形式リュック型で背負うタイプの運動具であるデザインの強調とジョギング活動のし易い用具の想定から２種類生まれたもので、ＡＢタイプそれぞれの特長を生かした用具である。
ＡＢタイプの形式は違っても共通する部分や共用する物もある、共通する部分では例えばバック（１）の素材生地、タオル地、ベルト類、バンド類、フォック等やその他部分的な類似結合ヶ所である、叉共用物としては砂入り備品で小袋（３９）の中に砂入れしたものを更にパックケース（４１）に入れ込んだ状態を重量備品と言う重量の想定は４種類（４１）Ａ，Ｂ，Ｃ，ＤにしているＡＢタイプ兼用である。
バック（１）本体の軽量素材生地とは例えば布地合成生地や綿合成生地叉は合成素材生地等が上げられるが手ざわりや肌ざわりと言った着用時の感触が良好であり叉製造する面に於いても生地の柔らかさが加工をし易くしている事が言える。共通しない部分ではＡ、Ｂタイプのデザインと重さと全体の寸法であるＡタイプは身体の曲線に合せたスリムな形にしたもので備品収納ポケットは２個付き（９，１１）である出し入れはチャック（１０，１２）から行う上部の砂パックポケットａ（９）ポケットは主にパックケース（４１）と言う砂入り備品を収納する所になる叉下部の砂パックポケットｂ（１１）は予備ポケットにしており個人の体力に依って重量の追加が出来る事や叉は個人的にジョギングの必用品入れ例えば「水筒、タオル、メガネ類など」小物入れとされるポケットであるその後バックカバー（１３）を本体（１）側にかぶせてプラストａ（１５）プラストｂ（１６）で留める。
Ｂタイプのデザインは子供のゴリラをイメイジして製作するもので、ふっくら型で備品収納ポケット（１）その物である砂パック（４１）の出し入れは投入口（３５）から行うその後開閉ヒモ（３７）ヒモ太鼓（３８）に依って閉めバックカバー（１３）を本体（１）側にかぶせてプラストａ（１５）プラストｂ（１６）で留める。
砂バック（１）本体のサイズはＡタイプイメージ例えば「上部の巾２７０ｍｍ位中間巾１８０ｍｍ位　下部の巾３５０ｍｍ位　上〜下部の長さ３７０ｍｍ位とし重さは３５０ｇ位に成る仕上がりが望ましくタオルシート（２６）単品（６０ｇ）も含まれている」叉Ｂタイプのサイズイメージは例えば「上部の巾１５０ｍｍ位　下部の巾３００ｍｍ位　上〜下部の長さ２８０ｍｍ位とし重さは３００ｇ位に成る仕上がりが望ましくタオルシート（２６）単品（４５ｇ）も含まれている」。
背負いベルト（２）はプラスチッククリック（２）と締付けベルト（４）の連結形に成っており背負った時に三角ベロ（５）の自在に依って身体へ必着させる事とクリック（３）の元でベルト（４）を引き下げる事に依って調整が出来るベルト（４）の残りの部分ついてはベルプラ（２７）に差込む、これはＡＢタイプ同じである。
胴体ベルト（６）はＡタイプが固定式でバック（１）裏側下左右（２４）に縫込み形で仕上げているがバック（１）本体のデザインを考案中に生まれたもので例えば抜き取り式叉は固定式でもここに拘りは無いがジヨギング用と成ると「バックのふらつき」を少なくする為に胴体ベルトは必要であるベルトの開閉はバックルａ（７）ｂ（８）長さ調整は（７）とベルト受け（２３）サイドで行う、Ｂタイプは抜き取り式の方法でありバック（１）裏側下部をベルト通し（３４）縫付け仕上げで有る調整などはＡタイプと同じである。
Ａタイプの特長である背当て側の表地と裏地の中間に発泡シート材（２５）を入れた製作方法で例えば「厚さ１．０ｍｍ位のものを２枚合せにして外観形状に合せ切り組入れてからミシン縫い片寄り防止策も含めて行ったもの」これが背負った時の重量感触と背中当りの度合いにクッション性があって良いのではないかと気付いたので取入れて試作を行った更にタオルシート（２６）をバック（１）裏側背中面に当てることでダブルクッションと成って受け止める感じが大分違う事叉Ｂタイプでは発泡シート材（２５）を除いた試作であるがタオルシート（２６）使用に依って感触にそれぞれ違いが有る。
タオルシート（２６）の形状はそれぞれ砂バック（１）に合せたサイズに成っているがＡタイプの場合はフォック（２９）５ヶ所止め　Ｂタイプは４ヶ所止めであるがタオル地は目が荒いので生地あてを行い地盤（３０）を作る事が大切叉糸のほぐれを無くす為にタオルシート周囲（２１）を空縫いする事も大切でＡタイプには縫い代部（３１，３２）も入れて更にシート（２６）中央部には×印形に型崩れ防止（３３）を行ったものである。
パックケース（４１）共用備品の製作手順はビニール袋（３９）の中に砂（４０）を入れて下記内容グラム毎に計り決めをしていく方法である、砂入れの後は入口をパック状に密閉するその砂小袋を開閉チャック（４２）からパックケース（４１）Ａ，Ｂ，Ｃ，Ｄと重量設定するグラム量に依ってケース（４１）のサイズは違う例えばケース（４１）Ａに砂５００ｇではパックサイズの長さ１７０ｍｍ高さ８０ｍｍ巾６０ｍｍ　ケースＢに砂１０００ｋｇでは長さ１９０ｍｍ高さ９０ｍｍ巾６０ｍｍ　ケースＣに砂１５００ｋｇでは長さ１９０ｍｍ高さ１００ｍｍ巾８０ｍｍ　ケースＤに砂２０００ｋｇでは長さ１９０ｍｍ高さ１１０ｍｍ巾９０ｍｍこの様な範囲であると想定される、バック（１）に入れて使用する場合の重量調整は自由に組合せる事が出来る。
【０００２】
【従来の技術】
ＩＰＣ〔Ａ４５Ｆ３／０４〕までの検索結果同類形式や類似用途の開発登録なし。
【０００３】
【発明が解決しようとする課題】
運動トレイニングとかジョギングとか言いながら「体力作り、足腰を鍛える運動」が多い中でリュックサックに砂では、不具合もあると言う「前後左右にふらつく、バンド類がカチャカチャ鳴る、背中が大きく膨らみ形が悪い」等、まに合わせの運動用具にしか成っておらず何かがたりない、望まれている運動用具の開発。
【０００４】
【課題を解決するための手段】
リュック形でジョギング専用の用具今や開発の爆心に突入しなければならないスポーツタイプ型とデザイン（素材選び含む）と活動のし易さの３点＋色採い例えば「ベイジュ、モスグリーン、シルバー、ピンク」の各色が想定色で年齢層に合った色採選びがエキサイトさせる。
【０００５】
【発明の実施の形態】
発明の実施の形態を実施例に元いて図面から参照して説明する。
図１は正面図である、ジョギング用砂バック１は背負う形式のリュック型でＡタイプはポケットが上下２個付きＢタイプはストレート型。
【０００６】
図２は立体図で砂バック１のバックカバー１３を開く事に依って砂パック４１投入口がチャック式とヒモ式のＩＩタイプ開閉を表したもの。
【０００７】
図３は断面図である各項目ヶ所の中でＡタイプは発泡シート材２５入り＋タオルシート２６付きＢタイプは発泡シート材２５無しタオルシート２６のみこれはそれぞれの個性を出す為であるタオルシート取付け方法はフォック２８、２９による背負いベルト２の調整や締付けはベルト３、４サイドで行う叉胴体ベルト６が砂バック全体の「ふらつき干渉止め」の役割を果たしている。
【０００８】
図４は砂バック本体裏側を表しＡタイプベルト６（左右縫込み形）とＢタイプベルト６（抜き取り形）の仕様方法とフォック２８縫付け個所を表したものである。
【０００９】
図５はタオルシート２６を表しているものでタオル地を加工する方法としてフォック２９取付け個所は生地を縫付けて地盤３０と言う部分を作る事特にＡシートは長い為に上部３１、下部３２の様に縫い代を作る事中央はＡ、Ｂ共に×印型縫いをして偏り防止対策を行う事が望ましい。
【００１０】
図６はＡ、Ｂタイプ兼用砂パック（４１）Ａ、Ｂ、Ｃ、Ｄ例えばとして４種類の想定重量範囲で試作製作した場合の物である。
【００１１】
【発明の効果】
ジョギング用（愛好色）砂バック「備品入り」を背負う事に依ってスポーツ愛好者は更に活性化「筋と筋肉及び体内腹筋を強くし足腰を鍛える」を図ろうとする意外性の有る効果。
【図面の簡単な説明】
【図１】ジョギング砂バック正面図である。
【図２】砂バック本体の立体図である。
【図３】砂バック本体の断面図である。
【図４】砂バック裏面図である。
【図５】タオルシート製作イメージ図である。
【図６】ＡＢタイプ兼用砂パック製作イメージ図である。
【符号の説明】
１．　　砂パック本体　　　　　　２２．　ポケット結合部
２．　　背負いベルト　　　　　　２３．　ベルト受け
３．　　プラスチッククリック　　２４．　ベルト縫付け部
４．　　締付けベルト　　　　　　２５．　発泡シート材
５．　　三角ベロ　　　　　　　　２６．　タオルシート
６．　　胴体ベルト　　　　　　　２７．　ベルプラ
７．　　ベルトバックルａ　　　　２８．２９．フオック
８．　　ベルトバックルｂ　　　　３０．　地盤
９．　　砂パックポケットａ　　　３１．３２．縫いしろ部
１０．　開閉チヤックａ　　　　　３３．　形ずれ止め縫い
１１．　砂パックポケットｂ　　　３４．　ベルト通し
１２．　開閉チヤックｂ　　　　　３５．　砂パック投入口
１３．　バックカバー　　　　　　３６．　ヒモ金具
１４．　ベローズバンド　　　　　３７．　開閉ヒモ
１５．　プラストａ　　　　　　　３８．　ヒモ太鼓
１６．　プラストｂ　　　　　　　３９．　砂入れ小袋
１７．　バンド止め　　　　　　　４０．　砂
１８．　カバー折りしろ　　　　　４１．　パックケース
１９．　ベルシロ　　　　　　　　４２．　パックケースチャック
２０．　フック
２１．　ふちどり縫い
【図１】
2004113716.tif 000003
【図２】
2004113716.tif 000004
【図３】
2004113716.tif 000005
【図４】
2004113716.tif 000006
【図５】
2004113716.tif 000007
【図６】
2004113716.tif 000008